(57)【要約】【課題】着側交換機にて料金算出する機能が不要であり、他事業者側の設備に変更が不要な着信者課金方法【解決手段】公衆網３接続される交換機１００はユーザ１を収容し、交換機２００はユーザ２を収容する。交換機１００、２００は、着信者に課金する契約の有無が登録される契約データ記憶部１１１と、着信者の課金専用電話番号があらかじめ設定される着信者課金専用電話番号記憶部１１４と、登録された電話番号を記憶する登録電話番号記憶部１１２と、着信者の端末操作により着信者に課金する契約について随時に登録、変更および削除する活性状態記憶部１１３および選択モード記憶部１１５とを有する。【選択図】　　　図１
2004056510.tif 000002
【特許請求の範囲】
【請求項１】
着信者があらかじめ登録している発信者の電話番号から着信があった場合に前記着信者に課金を行うシステムであって、前記着信者に課金する契約の有無を登録し、前記登録の場合に前記着信者に課金する専用電話番号をあらかじめ設定することを特徴とする発信者選択式着信者課金方法。
【請求項２】
着信者があらかじめ登録している発信者の電話番号から着信があった場合に前記着信者に課金を行うシステムであって、前記着信者に課金する契約の登録を前記着信者の端末操作により前記着信者に課金する契約を随時に登録、変更および削除することを特徴とする請求項１記載の発信者選択式着信者課金方法。
【請求項３】
着信者があらかじめ登録している発信者の電話番号から着信があった場合に前記着信者に課金を行うシステムであって、
前記着信者があらかじめ登録している発信者の電話番号から着信があった場合に前記着信者に課金する契約の有無を登録する手段と、前記着信者に課金する専用電話番号をあらかじめ設定する手段と、前記着信者の端末操作により前記着信者に課金する契約を随時に登録、変更および削除する手段とを有することを特徴とする請求項１または２記載の発信者選択式着信者課金方法。
【請求項４】
公衆網に接続される第一の交換機及び第二の交換機は、着信者に課金する契約の有無が登録される契約データ記憶部と、前記着信者の課金専用電話番号があらかじめ設定される着信者課金専用電話番号記憶部と、登録された電話番号を記憶する登録電話番号記憶部と、前記着信者の端末操作により前記着信者に課金する契約について随時に登録、変更および削除する活性状態記憶部および選択モード記憶部と、着信者に課金するか否かを判定する着信者課金判定手段とを有することを特徴とする請求項３記載の発信者選択式着信者課金方法。
【請求項５】
前記第一の前記交換機が収容する第一のユーザと、第二の前記交換機が収容する第二のユーザとを有し、前記第二のユーザ２が前記第一のユーザへ電話することにより、前記第一の交換機の前記着信者課金判定手段では、前記第一のユーザ１の前記契約データ記憶部を参照し、着信者に課金する契約となっている場合に、前記活性状態記憶部を参照し、活性状態である場合には、前記選択モード記憶部を参照し、選択モードが無条件着信者課金であった場合は、前記着信者課金専用電話番号記憶部に設定されている着信課金の専用電話番号を設定したリダイレクション指示信号を前記第二の交換機に返送し、選択モードが選択時着信者課金であった場合には、前記登録電話番号記憶部を参照し、リストに第二のユーザの電話番号が登録されている場合には、前記着信者課金専用電話番号記憶部に設定されている着信課金専用電話番号を設定したリダイレクション指示信号を前記第二の交換機に返送し、前記リダイレクション指示信号を受信した前記第二の交換機は番号ポータビリティ機能により着信課金専用番号にて再ルーチングし、前記着信者に課金することを特徴とする請求項４記載の発信者選択式着信者課金方法。
【請求項６】
前記第二の交換機が収容する第二のユーザから前記第一の交換機が収容する第一のユーザに着信があった場合に、前記第一のユーザ１に対応する前記契約データ記憶部を参照し、着信者課金のサービスを契約しているか否かを判定する第１のステップと、前記第一のユーザ１が前記着信者課金のサービスを契約していない場合には着信者課金を実施せず、着信者課金のサービスを契約している場合には前記活性状態記憶部を参照して活性状態を判定する第２のステップと、前記活性状態が非活性であった場合には着信者課金を実施せず、前記活性状態が活性であった場合には前記選択モード記憶部を参照して選択モードを判定する第３のステップと、前記選択モードが無条件着信者課金であった場合には前記着信者課金専用電話番号記憶部に設定されている着信者課金用専用電話番号を設定したリダイレクション指示信号を前記第二の交換機へ返送する第６のステップと、前記選択モードが選択時着信者課金の場合には受信信号に前記第二のユーザの発信者番号があったか否かを判定する第４のステップと、前記発信者番号がない場合には前記着信者課金を実施せず、前記発信者番号がある場合には前記第一のユーザに対応する登録電話番号記憶部に発信者電話番号が登録されているか否かを検索する第５のステップと、発信者電話番号が登録されていない場合には着信者課金を実施せず、発信者電話番号が登録されている場合には前記着信者課金専用電話番号記憶部に設定されている着信者課金用専用電話番号を設定したリダイレクション指示信号を前記第二の交換機へ返送し、前記リダイレクション指示信号を受信した前記第二の交換機は所定の番号ポータビリティ機能により着信課金専用番号にて再ルーチングして着信者課金を実施することを特徴とする請求項４または５記載の発信者選択式着信者課金方法。
【請求項７】
前記着信者課金判定手段において、前記第６のステップでリダイレクション指示信号を返送する際に参照する着信者課金専用電話番号記憶部の代わりに、転送先電話番号記憶部を参照してリダイレクション指示信号を返送することを特徴とする請求項６記載の発信者選択式着信者課金方法。
【発明の詳細な説明】
【０００１】
【発明の属する技術分野】
本発明は発信者選択式着信者課金方法に関し、特に課金機能を有する交換機において着信者に課金する発信者選択式着信者課金方法に関する。
【０００２】
【従来の技術】
従来、この種の着信者課金方法は、着側交換機から発側交換機に着信課金を実施する旨を信号にて返送し、次のいずれかの方法で実現していた。第一の方法は、発側交換機から課金情報を着側交換機に転送して着信者に課金する。第二の方法は、発側交換機での課金処理を停止し、着側交換機で課金処理を行つて着信者に課金する。第三の方法は、発側交換機で課金先を着信者として課金処理を行う。
【０００３】
【発明が解決しようとする課題】
上述した従来の着信者課金方法において、着信者課金が可能な形態では、発側交換機から着側交換機まで、全て同一の事業者の設備を経由する形態のみである点にある。
【０００４】
その理由は、発側交換機にも機能追加が必要という問題点がある。また、発側交換機、及び中継交換機が他の事業者の交換機にも機能追加が必要という問題点がある。
【０００５】
本発明の目的は、着側交換機にて料金算出する機能が不要であり、他事業者側の設備に変更が不要な発信者選択式着信者課金方法を提供することにある。
【０００６】
【課題を解決するための手段】
本発明の発信者選択式着信者課金方法は、着信者があらかじめ登録している発信者の電話番号から着信があった場合に前記着信者に課金を行うシステムであって、前記着信者に課金する契約の有無を登録し、前記登録の場合に前記着信者に課金する専用電話番号をあらかじめ設定することを特徴とする。
【０００７】
また、着信者があらかじめ登録している発信者の電話番号から着信があった場合に前記着信者に課金を行うシステムであって、前記着信者に課金する契約の登録を前記着信者の端末操作により前記着信者に課金する契約を随時に登録、変更および削除することを特徴とする。
【０００８】
また、着信者があらかじめ登録している発信者の電話番号から着信があった場合に前記着信者に課金を行うシステムであって、
前記着信者があらかじめ登録している発信者の電話番号から着信があった場合に前記着信者に課金する契約の有無を登録する手段と、前記着信者に課金する専用電話番号をあらかじめ設定する手段と、前記着信者の端末操作により前記着信者に課金する契約を随時に登録、変更および削除する手段とを有することを特徴とする。
【０００９】
また、公衆網に接続される第一の交換機及び第二の交換機は、着信者に課金する契約の有無が登録される契約データ記憶部と、前記着信者の課金専用電話番号があらかじめ設定される着信者課金専用電話番号記憶部と、登録された電話番号を記憶する登録電話番号記憶部と、前記着信者の端末操作により前記着信者に課金する契約について随時に登録、変更および削除する活性状態記憶部および選択モード記憶部と、着信者に課金するか否かを判定する着信者課金判定手段とを有することを特徴とする。
【００１０】
また、前記第一の前記交換機が収容する第一のユーザと、第二の前記交換機が収容する第二のユーザとを有し、前記第二のユーザ２が前記第一のユーザへ電話することにより、前記第一の交換機の前記着信者課金判定手段では、前記第一のユーザ１の前記契約データ記憶部を参照し、着信者に課金する契約となっている場合に、前記活性状態記憶部を参照し、活性状態である場合には、前記選択モード記憶部を参照し、選択モードが無条件着信者課金であった場合は、前記着信者課金専用電話番号記憶部に設定されている着信課金の専用電話番号を設定したリダイレクション指示信号を前記第二の交換機に返送し、選択モードが選択時着信者課金であった場合には、前記登録電話番号記憶部を参照し、リストに第二のユーザの電話番号が登録されている場合には、前記着信者課金専用電話番号記憶部に設定されている着信課金専用電話番号を設定したリダイレクション指示信号を前記第二の交換機に返送し、前記リダイレクション指示信号を受信した前記第二の交換機は番号ポータビリティ機能により着信課金専用番号にて再ルーチングし、前記着信者に課金することを特徴とする。
【００１１】
また、前記第二の交換機が収容する第二のユーザから前記第一の交換機が収容する第一のユーザに着信があった場合に、前記第一のユーザ１に対応する前記契約データ記憶部を参照し、着信者課金のサービスを契約しているか否かを判定する第１のステップと、前記第一のユーザ１が前記着信者課金のサービスを契約していない場合には着信者課金を実施せず、着信者課金のサービスを契約している場合には前記活性状態記憶部を参照して活性状態を判定する第２のステップと、前記活性状態が非活性であった場合には着信者課金を実施せず、前記活性状態が活性であった場合には前記選択モード記憶部を参照して選択モードを判定する第３のステップと、前記選択モードが無条件着信者課金であった場合には前記着信者課金専用電話番号記憶部に設定されている着信者課金用専用電話番号を設定したリダイレクション指示信号を前記第二の交換機へ返送する第６のステップと、前記選択モードが選択時着信者課金の場合には受信信号に前記第二のユーザの発信者番号があったか否かを判定する第４のステップと、前記発信者番号がない場合には前記着信者課金を実施せず、前記発信者番号がある場合には前記第一のユーザに対応する登録電話番号記憶部に発信者電話番号が登録されているか否かを検索する第５のステップと、発信者電話番号が登録されていない場合には着信者課金を実施せず、発信者電話番号が登録されている場合には前記着信者課金専用電話番号記憶部に設定されている着信者課金用専用電話番号を設定したリダイレクション指示信号を前記第二の交換機へ返送し、前記リダイレクション指示信号を受信した前記第二の交換機は所定の番号ポータビリティ機能により着信課金専用番号にて再ルーチングして着信者課金を実施することを特徴とする。
【００１２】
また、前記着信者課金判定手段において、前記第６のステップでリダイレクション指示信号を返送する際に参照する着信者課金専用電話番号記憶部の代わりに、転送先電話番号記憶部を参照してリダイレクション指示信号を返送することを特徴とする。
【００１３】
【発明の実施の形態】
次に、本発明の実施の形態について図面を参照して説明する。図１は本発明の一実施例のブロック図、図２は本実施例の動作を説明するためのフローチャート図である。
【００１４】
本実施例は図１を参照すると、電話加入者であるユーザ１とユーザ２、ユーザ１を収容する交換機１００、ユーザ２を収容する交換機２００を含む。
【００１５】
交換機１００には情報を記憶する記憶装置１１０とプログラム制御により動作するデータ処理装置１２０を備えている。
【００１６】
記憶装置１１０には、契約データ記憶部１１１、登録電話番号記憶部１１２、活性状態記憶部１１３、及び着信課金専用電話番号記憶部１１４を備えている。
【００１７】
契約データ記憶部１１１は、加入者のサービス毎の契約の有無を蓄えている。
【００１８】
登録電話番号記憶部１１２は、本発明を契約している加入者毎に、着信者課金の対象となる電話番号をリストにて蓄えている。
【００１９】
活性状態記憶部１１３は、本発明を契約している加入者毎の着信者課金活性状態を蓄えている。
【００２０】
着信者課金専用電話番号記憶部１１４は、本発明に契約している加入者毎の着信者課金専用電話番号を蓄えている。
【００２１】
選択モード記憶部１１５は、本発明を契約している加入者毎に、無条件に着信者課金を実施するか、登録電話番号記憶部１１２に登録されている電話番号からの着信時のみに着信者課金を実施するかのモードを蓄えている。
【００２２】
データ処理装置１２０は、着信者課金判定手段１２１を備える。
【００２３】
着信者課金判定手段１２１では、交換機２００から着信時、ユーザ１の契約データ記憶部１１１を参照し、本発明が契約となっている場合、活性状態記憶部１１３を参照する。活性状態である場合、選択モード記憶部１１５を参照する。選択モードが無条件着信者課金の場合、ユーザ２の着信者課金専用電話番号記憶部１１４に設定されている着信者課金専用電話番号を設定したリダイレクション指示信号を、交換機２００へ返送する。選択モードが選択時着信者課金の場合、受信信号から発信者電話番号（ユーザ２）を抽出し、登録電話番号記憶部１１２を参照する。登録電話番号記憶部１１２のリストにユーザ２の電話番号が登録されている場合、ユーザ２の着信者課金専用電話番号記憶部１１４に設定されている着信者課金専用電話番号を設定したリダイレクション指示信号を、交換機２００へ返送する。
【００２４】
リダイレクション指示信号を受信した交換機２００は従来の番号ポータビリティ機能にて、着信課金専用番号にて再ルーチングする事により着信者課金を実現する。
【００２５】
［実施例の動作］
次に、図１、図２を参照して本実施例の動作について説明すると、着信者課金判定手順１２１では、交換機２００が収容する加入者（ユーザ２）から交換機１００が収容する加入者（ユーザ１）に着信があった場合に、ユーザ１に対応する契約データ記憶部１１１を参照し、ユーザ１が本サービス（選択式着信者課金サービス）を契約しているか否かを判定する（ステップＡ１）。ユーザ１が本サービスを契約していない場合には、着信者課金は実施しない。ユーザ１が本サービスを契約している場合には、活性状態記憶部１１３を参照し、活性状態を判定する（ステップＡ２）。ユーザ１が非活性であった場合は着信者課金を実施せず、活性であった場合には、選択モード記憶部１１５を参照し、選択モードを判定する（ステップＡ３）。
【００２６】
選択モードが無条件着信者課金であった場合には、着信者課金専用電話番号記憶部１１４に設定されている着信者課金用専用電話番号を設定したリダイレクション指示信号を交換機２００へ返送する（ステップＡ６）。
【００２７】
選択モードが選択時着信者課金の場合、受信信号に発信者番号（ユーザ２）があったか判定する（ステップＡ４）。発信者番号がない場合は、着信者課金は実施しない。発信者番号がある場合は、ユーザ１に対応する登録電話番号記憶部１１２に発信者電話番号が登録されているか検索する（ステップＡ５）。登録されていない場合は、着信者課金は実施しない。登録されている場合は、着信者課金専用電話番号記憶部１１４に設定されている着信者課金用専用電話番号を設定したリダイレクション指示信号を交換機２００へ返送する（ステップＡ６）。
【００２８】
リダイレクション指示信号を受信した交換機２００は所定の番号ポータビリティ機能により、着信課金専用番号にて再ルーチングする事により着信者課金を実施する。
【００２９】
図３は本発明の他の実施例のブロック図である。他の実施例は図３を参照すると、本実施例は図１に示された構成に対し着信者課金専用電話番号記憶部１１４を転送先電話番号記憶部１１６と置き換えている。
【００３０】
本実施例での着信者課金判定手順１２１では、図２のステップＡ６でリダイレクション指示信号を返送する際に参照する着信者課金専用電話番号記憶部１１４の代わりに、転送先電話番号記憶部１１６を参照してリダイレクション指示信号を返送する点で異なる。
【００３１】
従来の着信転送方式では、発信者から転送元への区間の料金は発信者へ課金、転送元から転送先への区間の料金は転送元に課金されていたが、本実施例を用いると、発信者から転送先までの区間の料金が発信者に課金され、転送元には料金がかからなくなる効果がある。また、課金させる発信者をユーザが自由に選択できる効果がある。
【００３２】
【発明の効果】
以上説明したように本発明によれば、着信者があらかじめ登録している発信者の電話番号から着信があった場合に前記着信者に課金を行うシステムであって、前記着信者に課金する契約の有無を登録し、前記登録の場合に前記着信者に課金する専用電話番号をあらかじめ設定することを特徴とすることにより、
第１の効果は、着側交換機にて料金算出する機能が不要な点、及び本発明を提供していない業者からの発信及び経由した場合も、他事業者側の設備に変更が不要な点である。
【００３３】
その理由は、番号ポータビリティに基づいたリダイレクション方式を利用しているためである。
【図面の簡単な説明】
【図１】本発明の一実施例のブロック図である。
【図２】本実施例の動作を説明するためのフローチャート図である。
【図３】本発明の他の実施例を示すブロック図である。
【符号の説明】
１　　ユーザ
２　　ユーザ
３　　公衆網
１００、２００　　交換機
１１０　　記憶装置
１１１　　契約データ記憶部
１１２　　登録電話番号記憶部
１１３　　活性状態記憶部
１１４　　着信課金専用電話番号記憶部
１１５　　選択モード記憶部
１１６　　転送先電話番号記憶部
１２０　　データ処理装置
１２１　　着信者課金判定手段
【図１】
2004056510.tif 000003
【図２】
2004056510.tif 000004
【図３】
2004056510.tif 000005